(57)【特許請求の範囲】
【請求項１】
通常状態と、前記通常状態よりエネルギーの消費が少ない省エネ状態との少なくとも２つの状態を有している画像形成装置であって、
前記画像形成装置を前記通常状態から前記省エネ状態に移行させる命令である省エネ状態移行命令を前記画像形成装置の外部の装置から受信する命令受信手段と、前記画像形成装置の電源を管理する電源管理手段とを備えており、
前記電源管理手段は、前記命令受信手段によって受信された前記省エネ状態移行命令に従って前記画像形成装置を前記通常状態から前記省エネ状態に移行させ、
前記省エネ状態は、前記外部の装置からの命令による前記画像形成装置の前記通常状態への復帰が不可能な状態であることを特徴とする画像形成装置。
【請求項２】
前記画像形成装置が前記通常状態から前記省エネ状態に移行するためのタイマーを設定する命令であるタイマー設定命令を前記外部の装置から受信する手段を備えており、
前記電源管理手段は、前記タイマー設定命令を前記外部の装置から受信する手段によって受信された前記タイマー設定命令に従って前記タイマーを設定することを特徴とする請求項１に記載の画像形成装置。
【請求項３】
前記画像形成装置が前記タイマーによって前記通常状態から前記省エネ状態に移行することを禁止する条件である禁則を設定する命令である禁則設定命令を前記外部の装置から受信する手段を備えており、
前記電源管理手段は、前記禁則設定命令を前記外部の装置から受信する手段によって受信された前記禁則設定命令に従って前記禁則を設定することを特徴とする請求項２に記載の画像形成装置。
【請求項４】
通常状態と、前記通常状態よりエネルギーの消費が少ない省エネ状態との少なくとも２つの状態を有している画像形成装置によって実行される画像形成装置用プログラムであって、
前記画像形成装置を前記通常状態から前記省エネ状態に移行させる命令である省エネ状態移行命令を前記画像形成装置の外部の装置から受信する命令受信ステップと、前記画像形成装置の電源を管理する電源管理ステップとを前記画像形成装置に実行させ、
前記電源管理ステップは、前記命令受信ステップによって受信された前記省エネ状態移行命令に従って前記画像形成装置を前記通常状態から前記省エネ状態に移行させるステップであり、
前記省エネ状態は、前記外部の装置からの命令による前記画像形成装置の前記通常状態への復帰が不可能な状態であることを特徴とする画像形成装置用プログラム。
【発明の詳細な説明】
【技術分野】
【０００１】
本発明は、通常状態よりエネルギーの消費が少ない省エネ状態に移行することができる画像形成装置に関する。
【背景技術】
【０００２】
従来、通常状態よりエネルギーの消費が少ない省エネ状態に移行することができる画像形成装置として、画像形成装置の各構成ユニットに電力を供給する主電源と、主電源をオンにするための電力を主電源に供給するサブ電源とを備えており、主電源は、画像形成装置の画像形成動作が終了してから未使用状態のまま予め設定された時間が経過した場合、または、画像形成装置のメインスイッチがオフになった場合、画像形成装置の各構成ユニットへの電力供給を停止することによって、通常状態よりエネルギーの消費が少ない省エネ状態に移行するものが知られている（例えば、特許文献１参照。）。
【先行技術文献】
【特許文献】
【０００３】
【特許文献１】特開２００１−２９０３９７号公報
【発明の概要】
【発明が解決しようとする課題】
【０００４】
しかしながら、従来の画像形成装置は、利用者の指示に従って通常状態から省エネ状態に移行する場合、利用者によってメインスイッチがオフにされる必要があるので、遠隔地の利用者の指示に従って通常状態から省エネ状態に移行することができないという問題がある。
【０００５】
そこで、本発明は、遠隔地の利用者の指示に従って通常状態から省エネ状態に移行することができる画像形成装置を提供することを目的とする。
【課題を解決するための手段】
【０００６】
本発明の画像形成装置は、通常状態と、前記通常状態よりエネルギーの消費が少ない省エネ状態との少なくとも２つの状態を有している画像形成装置であって、前記画像形成装置を前記通常状態から前記省エネ状態に移行させる命令である省エネ状態移行命令を前記画像形成装置の外部の装置から受信する命令受信手段と、前記画像形成装置の電源を管理する電源管理手段とを備えており、前記電源管理手段は、前記命令受信手段によって受信された前記省エネ状態移行命令に従って前記画像形成装置を前記通常状態から前記省エネ状態に移行させることを特徴とする。
【０００７】
この構成により、本発明の画像形成装置は、外部の装置から受信した省エネ状態移行命令に従って通常状態から省エネ状態に移行するので、外部の装置を使用する遠隔地の利用者の指示に従って通常状態から省エネ状態に移行することができる。
【０００８】
また、本発明の画像形成装置の前記省エネ状態は、前記外部の装置からの命令による前記画像形成装置の前記通常状態への復帰が不可能な状態であっても良い。
【０００９】
この構成により、本発明の画像形成装置は、省エネ状態が外部の装置からの命令による画像形成装置の通常状態への復帰が可能な状態である場合と比較して、エネルギーの消費が少ない省エネ状態に移行することができる。
【００１０】
本発明の画像形成装置用プログラムは、通常状態と、前記通常状態よりエネルギーの消費が少ない省エネ状態との少なくとも２つの状態を有している画像形成装置によって実行される画像形成装置用プログラムであって、前記画像形成装置を前記通常状態から前記省エネ状態に移行させる命令である省エネ状態移行命令を前記画像形成装置の外部の装置から受信する命令受信ステップと、前記画像形成装置の電源を管理する電源管理ステップとを前記画像形成装置に実行させ、前記電源管理ステップは、前記命令受信ステップによって受信された前記省エネ状態移行命令に従って前記画像形成装置を前記通常状態から前記省エネ状態に移行させるステップであることを特徴とする。
【００１１】
この構成により、本発明の画像形成装置用プログラムを実行する画像形成装置は、外部の装置から受信した省エネ状態移行命令に従って通常状態から省エネ状態に移行するので、外部の装置を使用する遠隔地の利用者の指示に従って通常状態から省エネ状態に移行することができる。
【発明の効果】
【００１２】
本発明の画像形成装置は、遠隔地の利用者の指示に従って通常状態から省エネ状態に移行することができる。
【図面の簡単な説明】
【００１３】
【図１】本発明の一実施の形態に係るネットワークシステムのブロック図である。
【図２】図１に示すＭＦＰのブロック図である。
【図３】図２に示す制御部の機能を説明する図である。
【図４】図１に示すＰＣのブロック図である。
【図５】図１に示すネットワークシステムのソフトウェアの一例の階層図である。
【図６】図２に示すＭＦＰの操作部から入力された指示に従った省エネ状態への移行を示すシーケンス図である。
【図７】図４に示すＰＣの操作部から入力された指示に従った省エネ状態への移行を示すシーケンス図である。
【発明を実施するための形態】
【００１４】
以下、本発明の一実施の形態について、図面を用いて説明する。
【００１５】
まず、本実施の形態に係るネットワークシステムの構成について説明する。
【００１６】
図１は、本実施の形態に係るネットワークシステム１０のブロック図である。
【００１７】
図１に示すように、ネットワークシステム１０は、画像形成装置であるＭＦＰ（Ｍｕｌｔｉｆｕｎｃｔｉｏｎ  Ｐｅｒｉｐｈｅｒａｌ）２０と、ＭＦＰ２０の外部の装置としてのＰＣ(Ｐｅｒｓｏｎａｌ  Ｃｏｍｐｕｔｅｒ)３０とを備えている。ＭＦＰ２０およびＰＣ３０は、ＬＡＮ（Ｌｏｃａｌ  Ａｒｅａ  Ｎｅｔｗｏｒｋ）、インターネットなどのネットワーク１１を介して互いに通信可能に接続されている。
【００１８】
図２は、ＭＦＰ２０のブロック図である。
【００１９】
図２に示すように、ＭＦＰ２０は、ＭＦＰ２０全体を制御する制御部２１と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの記憶デバイスである記憶部２２と、利用者による種々の操作が入力されるボタンなどの入力デバイスである操作部２３と、種々の情報を表示するＬＣＤ（Ｌｉｑｕｉｄ  Ｃｒｙｓｔａｌ  Ｄｉｓｐｌａｙ）などの表示デバイスである表示部２４と、用紙に印刷を実行する印刷デバイスであるプリンター２５と、原稿から画像を読み取る読取デバイスであるスキャナー２６と、図示していない外部のファクシミリ装置と公衆電話回線などの通信回線経由でファックス通信を行うファックスデバイスであるファックス通信部２７と、ネットワーク１１経由で外部の装置と通信を行うネットワーク通信デバイスであるネットワーク通信部２８とを備えている。
【００２０】
ＭＦＰ２０は、通常状態と、通常状態よりエネルギーの消費が少ない省エネ状態との２つの状態を有している。ここで、省エネ状態は、電源をオフにすることによって、ＰＣ３０からの命令によるＭＦＰ２０の通常状態への復帰が不可能な状態である。
【００２１】
制御部２１は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２２に記憶されているプログラムを実行するようになっている。
【００２２】
記憶部２２は、ＭＦＰ２０用のプログラムである画像形成装置用プログラム２２ａを記憶している。
【００２３】
なお、画像形成装置用プログラム２２ａは、ＭＦＰ２０の製造段階でＭＦＰ２０にインストールされていても良いし、ＣＤ(Ｃｏｍｐａｃｔ  Ｄｉｓｋ)、ＤＶＤ(Ｄｉｇｉｔａｌ  Ｖｅｒｓａｔｉｌｅ  Ｄｉｓｋ)などの記憶媒体から、または、ネットワーク１１上からＭＦＰ２０に追加でインストールされても良い。
【００２４】
図３は、制御部２１の機能を説明する図である。
【００２５】
図２および図３に示すように、制御部２１は、記憶部２２に記憶されている画像形成装置用プログラム２２ａを実行することによって、ＭＦＰの電源を管理する電源管理手段としての電源管理部２１ａ、ＭＦＰ２０が通常状態から省エネ状態に移行するためのタイマーを設定する命令であるタイマー設定命令を操作部２３から受け付ける操作部用タイマー設定インターフェイス２１ｂ、ネットワーク通信部２８を介してタイマー設定命令をＰＣ３０から受信するネットワーク通信部用タイマー設定インターフェイス２１ｃ、ＭＦＰ２０がタイマーによって通常状態から省エネ状態に移行することを禁止する条件である禁則を設定する命令である禁則設定命令を操作部２３から受け付ける操作部用禁則設定インターフェイス２１ｄ、ネットワーク通信部２８を介して禁則設定命令をＰＣ３０から受信するネットワーク通信部用禁則設定インターフェイス２１ｅ、ＭＦＰ２０を通常状態から省エネ状態に移行させる命令である省エネ状態移行命令を操作部２３から受け付ける操作部用省エネ状態移行インターフェイス２１ｆ、ネットワーク通信部２８を介して省エネ状態移行命令をＰＣ３０から受信する命令受信手段としてのネットワーク通信部用省エネ状態移行インターフェイス２１ｇ、ＭＦＰ２０が通常状態から省エネ状態に移行するためのタイマーの設定を電源管理部２１ａに指示するタイマー設定ＡＰＩ（Ａｐｐｌｉｃａｔｉｏｎ  Ｐｒｏｇｒａｍ  Ｉｎｔｅｒｆａｃｅ）２１ｈ、禁則の設定を電源管理部２１ａに指示する禁則設定ＡＰＩ２１ｉ、および、ＭＦＰ２０を通常状態から省エネ状態に移行させることを電源管理部２１ａに指示する省エネ状態移行ＡＰＩ２１ｊとして機能する。
【００２６】
図４は、ＰＣ３０のブロック図である。
【００２７】
図４に示すように、ＰＣ３０は、ＰＣ３０全体を制御する制御部３１と、プログラムおよび各種のデータを記憶しているＨＤＤ（Ｈａｒｄ  Ｄｉｓｋ  Ｄｒｉｖｅ）などの記憶デバイスである記憶部３２と、利用者による種々の操作が入力されるマウスやキーボードなどの入力デバイスである操作部３３と、種々の情報を表示するＬＣＤなどの表示デバイスである表示部３４と、ネットワーク１１経由で外部の装置と通信を行うネットワーク通信デバイスであるネットワーク通信部３５とを備えている。
【００２８】
制御部３１は、例えば、ＣＰＵと、プログラムおよび各種のデータを予め記憶しているＲＯＭと、ＣＰＵの作業領域として用いられるＲＡＭとを備えている。ＣＰＵは、ＲＯＭや記憶部３２に記憶されているプログラムを実行するようになっている。
【００２９】
制御部３１は、記憶部３２に記憶されているユーティリティーソフトウェアを実行することによって、操作部３３から入力された指示に従ってタイマー設定命令をネットワーク通信部３５を介してＭＦＰ２０に送信するタイマー設定部３１ａ、操作部３３から入力された指示に従って禁則設定命令をネットワーク通信部３５を介してＭＦＰ２０に送信する禁則設定部３１ｂ、および、操作部３３から入力された指示に従って省エネ状態移行命令をネットワーク通信部３５を介してＭＦＰ２０に送信する省エネ状態移行部３１ｃとして機能する。
【００３０】
図５は、ネットワークシステム１０のソフトウェアの一例の階層図である。
【００３１】
図５に示すように、ＭＦＰ２０は、ＯＳ（Ｏｐｅｒａｔｉｎｇ  Ｓｙｓｔｅｍ）４１と、コピー、ＦＡＸ、プリント、スキャン、電源ＯＦＦなどのＭＦＰ２０の各種の機能を実行するためのコントローラーアプリケーション４２と、ＰＣ３０のユーティリティーソフトウェア３９からの指示を受けることができるＷＳＤＬ（Ｗｅｂ  Ｓｅｒｖｉｃｅｓ  Ｄｅｓｃｒｉｐｔｉｏｎ  Ｌａｎｇｕａｇｅ）４３と、コントローラーアプリケーション４２およびＷＳＤＬ４３を接続するＡＰＩ４４と、ＯＳ４１上で動作するＪａｖａプラットフォーム４５と、Ｊａｖａプラットフォーム４５上で動作するＪａｖａアプリケーション４６と、操作部２３からの操作を受け付けて表示部２４に表示を行うＷｅｂブラウザー４７とを備えている。Ｊａｖａプラットフォーム４５は、ＡＰＩ４４およびＪａｖａアプリケーション４６を接続するＪａｖａ  ＡＰＩ４５ａを備えている。
【００３２】
Ｗｅｂブラウザー４７は、ＰＣ３０のユーティリティーソフトウェア３９からの指示を受けることができる。したがって、ＰＣ３０のユーティリティーソフトウェア３９は、ＷＳＤＬ４３、ＡＰＩ４４を順に経由してコントローラーアプリケーション４２に指示を与えることができるだけでなく、Ｗｅｂブラウザー４７、Ｊａｖａアプリケーション４６、Ｊａｖａ  ＡＰＩ４５ａ、ＡＰＩ４４を順に経由してコントローラーアプリケーション４２に指示を与えることができる。
【００３３】
なお、上述した電源管理部２１ａは、コントローラーアプリケーション４２の一例である。
【００３４】
また、上述した操作部用タイマー設定インターフェイス２１ｂ、操作部用禁則設定インターフェイス２１ｄおよび操作部用省エネ状態移行インターフェイス２１ｆは、それぞれＪａｖａ  ＡＰＩ４５ａの一例である。
【００３５】
また、上述したネットワーク通信部用タイマー設定インターフェイス２１ｃ、ネットワーク通信部用禁則設定インターフェイス２１ｅおよびネットワーク通信部用省エネ状態移行インターフェイス２１ｇは、それぞれＷＳＤＬ４３の一例である。
【００３６】
また、上述したタイマー設定ＡＰＩ２１ｈ、禁則設定ＡＰＩ２１ｉおよび省エネ状態移行ＡＰＩ２１ｊは、それぞれＡＰＩ４４の一例である。
【００３７】
また、上述したタイマー設定部３１ａ、禁則設定部３１ｂおよび省エネ状態移行部３１ｃは、それぞれユーティリティーソフトウェア３９の一例である。
【００３８】
次に、ネットワークシステム１０の動作について説明する。
【００３９】
＜ＭＦＰ２０の操作部２３から入力された指示に従った省エネ状態への移行＞
図６は、ＭＦＰ２０の操作部２３から入力された指示に従った省エネ状態への移行を示すシーケンス図である。
【００４０】
図６に示すように、利用者がＭＦＰ２０の操作部２３から省エネ状態移行命令を入力すると（Ｓ１０１）、ＭＦＰ２０の操作部用省エネ状態移行インターフェイス２１ｆは、操作部２３から入力された省エネ状態移行命令を受け付けて、ＭＦＰ２０を通常状態から省エネ状態に移行させることを省エネ状態移行ＡＰＩ２１ｊに指示する（Ｓ１０２）。
【００４１】
省エネ状態移行ＡＰＩ２１ｊは、ＭＦＰ２０を通常状態から省エネ状態に移行させることが操作部用省エネ状態移行インターフェイス２１ｆから指示されると、ＭＦＰ２０を通常状態から省エネ状態に移行させることを電源管理部２１ａに指示する（Ｓ１０３）。
【００４２】
そして、電源管理部２１ａは、ＭＦＰ２０を通常状態から省エネ状態に移行させることが省エネ状態移行ＡＰＩ２１ｊから指示されると、ＭＦＰ２０を通常状態から省エネ状態に移行させる一連の処理を実行する（Ｓ１０４）。
【００４３】
＜ＰＣ３０の操作部３３から入力された指示に従った省エネ状態への移行＞
図７は、ＰＣ３０の操作部３３から入力された指示に従った省エネ状態への移行を示すシーケンス図である。
【００４４】
図７に示すように、利用者がＰＣ３０の操作部３３から省エネ状態移行命令を入力すると（Ｓ１２１）、ＰＣ３０の省エネ状態移行部３１ｃは、操作部３３から入力された省エネ状態移行命令を受け付けて、ＭＦＰ２０に省エネ状態移行命令を送信する（Ｓ１２２）。
【００４５】
そして、ＭＦＰ２０のネットワーク通信部用省エネ状態移行インターフェイス２１ｇは、ネットワーク通信部２８を介して省エネ状態移行命令をＰＣ３０から受信して、ＭＦＰ２０を通常状態から省エネ状態に移行させることを省エネ状態移行ＡＰＩ２１ｊに指示する（Ｓ１２３）。
【００４６】
省エネ状態移行ＡＰＩ２１ｊは、ＭＦＰ２０を通常状態から省エネ状態に移行させることがネットワーク通信部用省エネ状態移行インターフェイス２１ｇから指示されると、ＭＦＰ２０を通常状態から省エネ状態に移行させることを電源管理部２１ａに指示する（Ｓ１２４）。
【００４７】
そして、電源管理部２１ａは、ＭＦＰ２０を通常状態から省エネ状態に移行させることが省エネ状態移行ＡＰＩ２１ｊから指示されると、ＭＦＰ２０を通常状態から省エネ状態に移行させる一連の処理を実行する（Ｓ１２５）。すなわち、電源管理部２１ａは、ネットワーク通信部用省エネ状態移行インターフェイス２１ｇによって受信された省エネ状態移行命令に従ってＭＦＰ２０を通常状態から省エネ状態に移行させる。
【００４８】
＜タイマーの設定＞
利用者がＭＦＰ２０の操作部２３からタイマー設定命令を入力すると、操作部用タイマー設定インターフェイス２１ｂおよびタイマー設定ＡＰＩ２１ｈが図６に示す操作部用省エネ状態移行インターフェイス２１ｆおよび省エネ状態移行ＡＰＩ２１ｊと同様に動作するので、電源管理部２１ａは、タイマー設定命令に従ってタイマーを設定する。
【００４９】
また、利用者がＰＣ３０の操作部３３からタイマー設定命令を入力すると、タイマー設定部３１ａ、ネットワーク通信部用タイマー設定インターフェイス２１ｃおよびタイマー設定ＡＰＩ２１ｈが図７に示す省エネ状態移行部３１ｃ、ネットワーク通信部用省エネ状態移行インターフェイス２１ｇおよび省エネ状態移行ＡＰＩ２１ｊと同様に動作するので、電源管理部２１ａは、タイマー設定命令に従ってタイマーを設定する。
【００５０】
例えば、タイマーは、ＭＦＰ２０が利用者によって最後に利用されてからの経過時間であっても良い。ＭＦＰ２０が利用者によって最後に利用されてからの経過時間がタイマーとして設定されている場合、電源管理部２１ａは、ＭＦＰ２０が利用者によって最後に利用されてから設定時間が経過したときに、ＭＦＰ２０を通常状態から省エネ状態に移行させる。
【００５１】
また、タイマーは、時刻であっても良い。タイマーとして時刻が設定されている場合、電源管理部２１ａは、ＭＦＰ２０の内蔵の時計が設定時刻になったときに、ＭＦＰ２０を通常状態から省エネ状態に移行させる。
【００５２】
＜禁則の設定＞
利用者がＭＦＰ２０の操作部２３から禁則設定命令を入力すると、操作部用禁則設定インターフェイス２１ｄおよび禁則設定ＡＰＩ２１ｉが図６に示す操作部用省エネ状態移行インターフェイス２１ｆおよび省エネ状態移行ＡＰＩ２１ｊと同様に動作するので、電源管理部２１ａは、禁則設定命令に従って禁則を設定する。
【００５３】
また、利用者がＰＣ３０の操作部３３から禁則設定命令を入力すると、禁則設定部３１ｂ、ネットワーク通信部用禁則設定インターフェイス２１ｅおよび禁則設定ＡＰＩ２１ｉが図７に示す省エネ状態移行部３１ｃ、ネットワーク通信部用省エネ状態移行インターフェイス２１ｇおよび省エネ状態移行ＡＰＩ２１ｊと同様に動作するので、電源管理部２１ａは、禁則設定命令に従って禁則を設定する。
【００５４】
例えば、禁則は、ＭＦＰ２０にネットワークケーブルが繋がっているという条件であっても良い。ＭＦＰ２０にネットワークケーブルが繋がっているという条件が禁則として設定されている場合、電源管理部２１ａは、ＭＦＰ２０にネットワークケーブルが繋がっているときに、ＭＦＰ２０をタイマーの設定に従って通常状態から省エネ状態に移行させることはない。
【００５５】
また、禁則は、ＭＦＰ２０にＦＡＸボードが設置されているという条件であっても良い。ＭＦＰ２０にＦＡＸボードが設置されているという条件が禁則として設定されている場合、電源管理部２１ａは、ＭＦＰ２０にＦＡＸボードが設置されているときに、ＭＦＰ２０をタイマーの設定に従って通常状態から省エネ状態に移行させることはない。
【００５６】
以上に説明したように、ＭＦＰ２０は、ＰＣ３０から受信した省エネ状態移行命令に従って通常状態から省エネ状態に移行するので、ＰＣ３０を使用する遠隔地の利用者の指示に従って通常状態から省エネ状態に移行することができる。
【００５７】
ＭＦＰ２０は、省エネ状態がＰＣ３０からの命令によるＭＦＰ２０の通常状態への復帰が不可能な状態であるので、省エネ状態がＰＣ３０からの命令によるＭＦＰ２０の通常状態への復帰が可能な状態である場合と比較して、エネルギーの消費が少ない省エネ状態に移行することができる。
【００５８】
ＭＦＰ２０は、省エネ状態がＰＣ３０からの命令によるＭＦＰ２０の通常状態への復帰が不可能な状態であるので、ＰＣ３０の操作部３３から入力された指示に従って省エネ状態に移行したとしても、ＭＦＰ２０の操作部２３から入力された指示によってのみ通常状態に復帰することができる。
【００５９】
なお、ＭＦＰ２０は、ＰＣ３０からの命令によるＭＦＰ２０の通常状態への復帰が不可能な省エネ状態に代えて、または、ＰＣ３０からの命令によるＭＦＰ２０の通常状態への復帰が不可能な省エネ状態に加えて、ＰＣ３０からの命令によるＭＦＰ２０の通常状態への復帰が可能な省エネ状態になることができるようになっていても良い。
【００６０】
ＭＦＰ２０は、複数の省エネ状態になることができる場合、省エネ状態毎に省エネ状態移行命令を区別することによって、ＭＦＰ２０の操作部２３またはＰＣ３０の操作部３３からの利用者の指示に従って任意の省エネ状態に移行することができる。
【００６１】
ＭＦＰ２０は、ＰＣ３０からの命令によるＭＦＰ２０の通常状態への復帰が可能な省エネ状態になった場合、ＭＦＰ２０の操作部２３から入力された指示によってだけではなく、ＰＣ３０の操作部３３から入力された指示によっても、通常状態に復帰することができる。
【００６２】
なお、ＭＦＰ２０は、タイマー設定命令を受け付けるインターフェイスとして、操作部用タイマー設定インターフェイス２１ｂおよびネットワーク通信部用タイマー設定インターフェイス２１ｃという２つのインターフェイスを備えているが、３つ以上のインターフェイスを備えるようになっていても良い。インターフェイスの実現手段としては、ＷＳＤＬ４３、Ｊａｖａ  ＡＰＩ４５ａなどが挙げられる。インターフェイスは、実現手段の種類だけ必要である。ＭＦＰ２０は、タイマー設定命令を受け付けるインターフェイスを幾つ備えていたとしても、１つのタイマー設定ＡＰＩ２１ｈで対応することができる。
【００６３】
また、ＭＦＰ２０は、禁則設定命令を受け付けるインターフェイスとして、操作部用禁則設定インターフェイス２１ｄおよびネットワーク通信部用禁則設定インターフェイス２１ｅという２つのインターフェイスを備えているが、３つ以上のインターフェイスを備えるようになっていても良い。インターフェイスの実現手段としては、ＷＳＤＬ４３、Ｊａｖａ  ＡＰＩ４５ａなどが挙げられる。インターフェイスは、実現手段の種類だけ必要である。ＭＦＰ２０は、禁則設定命令を受け付けるインターフェイスを幾つ備えていたとしても、１つの禁則設定ＡＰＩ２１ｉで対応することができる。
【００６４】
また、ＭＦＰ２０は、省エネ状態移行命令を受け付けるインターフェイスとして、操作部用省エネ状態移行インターフェイス２１ｆおよびネットワーク通信部用省エネ状態移行インターフェイス２１ｇという２つのインターフェイスを備えているが、３つ以上のインターフェイスを備えるようになっていても良い。インターフェイスの実現手段としては、ＷＳＤＬ４３、Ｊａｖａ  ＡＰＩ４５ａなどが挙げられる。インターフェイスは、実現手段の種類だけ必要である。ＭＦＰ２０は、省エネ状態移行命令を受け付けるインターフェイスを幾つ備えていたとしても、１つの省エネ状態移行ＡＰＩ２１ｊで対応することができる。
【００６５】
本発明の画像形成装置は、本実施の形態においてＭＦＰであるが、プリンター専用機など、ＭＦＰ以外の画像形成装置であっても良い。
【００６６】
本発明の外部の装置は、本実施の形態においてＰＣであるが、ＰＣ以外の装置であっても良い。
【符号の説明】
【００６７】
２０  ＭＦＰ（画像形成装置）
２１ａ  電源管理部（電源管理手段）
２１ｇ  ネットワーク通信部用省エネ状態移行インターフェイス（命令受信手段）
２２ａ  画像形成装置用プログラム
３０  ＰＣ（外部の装置）
【図１】
0005622340.tif 000002
【図２】
0005622340.tif 000003
【図３】
0005622340.tif 000004
【図４】
0005622340.tif 000005
【図５】
0005622340.tif 000006
【図６】
0005622340.tif 000007
【図７】
0005622340.tif 000008